(57)【特許請求の範囲】
【請求項１】
郵便物の受入れ室を備えると共に該受入れ室内の郵便物の取出し口を備えた受け箱部と、この受け箱部の上部側から前方に向けて一体に突設されると共に前記受入れ室に連通し且つ先端側に投入口を備えた投入通路を有する投入路部とを有し、取付け対象構造体の一方の面側に該投入路部の下方にある前記受け箱部の面を向き合わせ、且つ、該投入路部を該投入路部の先端側が該取付け対象構造体の他方の面側に露出するように該取付け対象構造体に備えられる郵便受け箱本体と、
前記投入路部の下方にある前記受け箱部における前記取付け対象構造体に向き合う面の両側縁部に沿って該面に開口するように備えられている縦方向を向いたスリットから突き出し量を調整可能に該郵便受け箱本体に備えられる板状スペーサーとを有していることを特徴とする郵便受け箱。
【請求項２】
郵便物の受入れ室を備えると共に該受入れ室内の郵便物の取出し口を備えた受け箱部と、この受け箱部の上部側から前方に向けて一体に突設されると共に前記受入れ室に連通し且つ先端側に投入口を備えた投入通路を有する投入路部とを有し、取付け対象構造体の一方の面側に該投入路部の下方にある前記受け箱部の面を向き合わせ、且つ、該投入路部を該投入路部の先端側が該取付け対象構造体の他方の面側に露出するように該取付け対象構造体に備えられる郵便受け箱本体と、
前記投入路部の下方にある前記受け箱部における前記取付け対象構造体に向き合う面の両側縁部に沿って該面に開口するように備えられている縦方向を向いたスリットから突き出す向きに付勢されて該郵便受け箱本体に備えれらている板状スペーサーとを有していることを特徴とする郵便受け箱。
【発明の詳細な説明】
【０００１】
【発明の属する技術分野】
この発明は、郵便受け箱、特に、門、門袖、塀、玄関などの取付け対象構造体に投入路部を入れ込むように備えられる郵便受け箱の改良、より具体的には、取付け対象構造体の厚幅寸法と異なる突き出し寸法の投入路部を備えた郵便受け箱を、この郵便受け箱における受け箱部と前記取付け対象構造体との間に取付け隙間を生ずることなく取付け得るようにした郵便受け箱の提供に関する。
【０００２】
【従来の技術】
ブロック塀に対して、このブロック塀の内側に受け箱部を備えさせると共に、当該ブロック塀の外側に投入口を臨ませるようにした各種郵便受け箱を当該ブロック塀に組み込み用いるようにしたものがあった。
【０００３】
かかる郵便受け箱は、一般的に郵便物を受入れ保管する受入れ室を備えると共に、後部側に当該郵便物を該受入れ室から取り出す取出し口を備えた受け箱部と、この受け箱部の前面側上部から前方に向けて該受入れ室に連通し、しかも、先端側が郵便物の投入口とされている投入通路を備えた投入路部、所謂口金部を突き出し状態に備えた構成としてあり、この投入路部を、ブロック積みに際して積み上げたブロック上に載せ掛けると共に、この投入路部を取り囲むようにして、ブロック積みをなすことによって、ブロック塀の内側の面に当該郵便受け箱における受け箱部の前面側を密着し、しかも、ブロック塀の外側の面に都合良く当該郵便受け箱における投入口が臨むように、ブロック塀に対して当該郵便受け箱の組込みをなすようにしていた。
【０００４】
【発明が解決しようとする課題】
しかしながら、かかる郵便受け箱の組込まれるブロック塀は、通例各種規格のコンクリートブロックの積込みによって各種厚幅を備えたブロック塀として構成されるものであって、構成されるブロク塀に対して、このブロック塀の外側の面に投入口部が都合よく臨み、しかも、ブロック塀の内側の面に受け箱部の前面側の面が密着するように郵便受け箱を組み込む場合、このコンクリートブロックにおける夫々の厚幅に対応した突き出し幅の投入路部を備えた郵便受け箱を夫々に用意する必要があり、郵便受け箱の製作コストが割高とされ、しかも、その在庫管理及び施工管理が煩雑となる不具合があった。
【０００５】
かかる点から、ブロック塀に組込まれる郵便受け箱における投入路部の突き出し幅が、ブロック塀の厚幅よりも大きい場合、構成されるブロック塀の外側面に、この郵便受け箱における投入口部が都合良く露出するように、この郵便受け箱における受け箱部をブロック塀の内側から離した状態で、当該郵便受け箱をブロック塀に組付けると共に、このブロック塀の内側の面と、この内側の面から離して備えられた前記受け箱部との間に生ずる隙間を都合よく充足する厚さを備えた一枚の厚板材を該受け箱部の前面側を一連に覆うように添装止着することが試みられている。
【０００６】
しかしながら、かかる一枚の厚板材によって、前記受け箱部とブロック塀との間に生ずる間隙を充足する手法にあっては、この受け箱部とブロック塀との間に生ずる間隙の大きさに対応して夫々厚さの異なる厚板材を各別に用意する必要があると共に、当該厚板材が嵩張り、且つ、重量物となり、その施工管理が煩雑となる不具合を有し、また、かかる手法にあっては、添装厚板材の側端面が郵便受け箱を構成する受け箱部に連続して露出されることとなり、この露出厚板材の側端面が、取付け郵便受け箱における意匠性を損う不具合があった。
【０００７】
かかる点から、図１７に示される態様の郵便受け箱の使用が検討された。
【０００８】
この図１７に示される郵便受け箱は、郵便受け箱本体１００と、この郵便受け箱本体１００における受け箱部１０１の前面側を覆うように取付けられるフレーム体１１０によって構成されるものであって、この平断面がコ字状をなすように構成されているフレーム体１１０によって、ブロック塀に向き合っている受け箱部１０１の面側を全面に亘って覆うように当該フレーム体１１０を郵便受け箱本体１００に取付け、このフレーム体１１０に備えられている各側板部１１２によって、この受け箱部１０１とブロック塀などの取付け面との間に生ずる隙間を塞ぐようにしてある。
【０００９】
即ち当該受け箱部１０１の側面に添装状態に組付けられる一対の側板部１１２を当接板部１１１の両側に直角の向きに、一連に備えて構成されるフレーム体１１０を、この受け箱部１０１の前面側、即ち、ブロック塀などの取付け面に向き合っている当該受け箱部１０１に対して、該当接板部１１１を、この受け箱部１０１の当該前面に向き合わせ、且つ、側板部１１２を、この受け箱部１０１の側面に添装状態とし、この側板部１１２に設けられている横長の取付け孔１１３から取付けボルト１３０を、受け箱部１０１に備えられている雌ネジ孔１０２に螺挿し、この取付けボルト１３０の締め込みによって、当該フレーム体１１０を受け箱部１０１の前面側に取付け固定する構成としたものである。
【００１０】
しかしながら、かかる構成からなる郵便受け箱にあっては、当該郵便受け箱の取付け面とされるブロック塀などの取付け面に対して、当接板部１１１を面的に当接した状態で、この郵便受け箱における受け箱部１０１と該ブロック塀などの取付け面との間に生ずる隙間を、この当接板部１１１の両側部に一体に連設されている各側板部１１２、１１２によって塞ぐ構成とされていることから、このフレーム体１１０における当接板部１１１の当接されるブロック塀などの取付け面に凹凸がある場合、あるいは段差がある場合、このブロック塀などにおける取付け面に対して、当接板部１１１の全面を密着状態にして当該郵便受け箱を設けることができず、取付け面に隙間を残した状態で郵便受け箱の備えつけがなされることとなり、当該郵便受け箱の取付け面における意匠性が損われると共に、不安定な状態での郵便受け箱の備えつけとなる不具合が認められた。
【００１１】
また、かかる郵便受け箱にあっては、フレーム体１１０の取付け手段とされる取付け孔１１３、取付けボルト１３０などが外側に露出した態様とされ、また、フレーム体１１０の側板部１１２が郵便受け箱本体１００の外側に露出されていることから、この郵便受け箱本体１００とフレーム体１１０とが明らかに異なったものとして認識され、これによって構成される郵便受け箱の意匠性が損われる不具合が認められた。
【００１２】
また、フレーム体１１０における側板部１１２が、この郵便受け箱本体１００における受け箱部１０１の外側面に沿って移動することから、該側板部１１２におけるコーナー部１１４によって手指が傷つけられる不具合が認められた。
【００１３】
この発明は、かかる従来の郵便受け箱における不具合を解消し、取付け対象構造体に対して、取付け隙間を生じさせることなく備えられると共に、意匠性の良好な郵便受け箱の提供を目的とする。
【００１４】
【課題を解決するための手段】
かかる目的を達成するために請求項１記載に係る発明は、郵便物の受入れ室を備えると共に該受入れ室内の郵便物の取出し口を備えた受け箱部と、この受け箱部の上部側から前方に向けて一体に突設されると共に前記受入れ室に連通し且つ先端側に投入口を備えた投入通路を有する投入路部とを有し、取付け対象構造体の一方の面側に該投入路部の下方にある前記受け箱部の面を向き合わせ、且つ、該投入路部を該投入路部の先端側が該取付け対象構造体の他方の面側に露出するように該取付け対象構造体に備えられる郵便受け箱本体と、
前記投入路部の下方にある前記受け箱部における前記取付け対象構造体に向き合う面の両側縁部に沿って該面に開口するように備えられている縦方向を向いたスリットから突き出し量を調整可能に該郵便受け箱本体に備えられる板状スペーサーとを有していることを特徴とする郵便受け箱としてある。
【００１５】
このように構成される郵便受け箱にあっては、その投入路部の先端側を該取付け対象構造体の一方の面側に都合良く露出させた態様において、当該取付け対象構造体における他方の面に対して夫々の板状スペーサーの先端を当接させ、当該郵便受け箱と取付け対象構造体との間に取付け隙間を生じさせることなく、当該郵便受け箱を取付け対象構造体に対して備えることができ、郵便受け箱に外力が作用した場合にあっても、該郵便受け箱が取付け対象構造体によって効果的に支承されるように機能する。
【００１６】
また、このように構成される郵便受け箱にあっては、その受け箱部の両側縁部に開口するように備えられているスリットから突き出し量を調整可能に郵便受け箱本体に備えられる夫々の板状スペーサーを、この受け箱部に向き合っている取付け対象構造体の面に対し、その夫々の先端を当接するように突き出し量を調整セットすることが可能とされ、当該郵便受け箱の備えられる取付け対象構造体における当該板状スペーサーの夫々の当接する面が相互に段差を有する凹凸状とされている場合にあっても、当該郵便受け箱を取付け対象構造体に対して、この取付け対象構造体との間に取付け隙間を生じさせることなく備えることができる。
【００１７】
また、かかる構成からなる郵便受け箱にあっては、取付け対象構造体に向き合っている該郵便受け箱における受け箱部の両側縁部に開口するように備えられているスリットから突き出し量を調整可能に郵便受け箱本体に備えられている夫々の板状スペーサーの先端を、この受け箱部の向き合っている取付け対象構造体の面に当接させることによって、この各板状スペーサー間にある受け箱部に向き合っている取付け対象構造体の面における形態に何等影響されることなく、該郵便受け箱を取付け対象構造体に対して、がたなく、安定に備えることができる。
【００１８】
また、前記目的を達成するために請求項２記載の発明は、郵便物の受入れ室を備えると共に該受入れ室内の郵便物の取出し口を備えた受け箱部と、この受け箱部の上部側から前方に向けて一体に突設されると共に前記受入れ室に連通し且つ先端側に投入口を備えた投入通路を有する投入路部とを有し、取付け対象構造体の一方の面側に該投入路部の下方にある前記受け箱部の面を向き合わせ、且つ、該投入路部を該投入路部の先端側が該取付け対象構造体の他方の面側に露出するように該取付け対象構造体に備えられる郵便受け箱本体と、
前記投入路部の下方にある前記受け箱部における前記取付け対象構造体に向き合う面の両側縁部に沿って該面に開口するように備えられている縦方向を向いたスリットから突き出す向きに付勢されて該郵便受け箱本体に備えれらている板状スペーサーとを有していることを特徴とする郵便受け箱としてある。
【００１９】
このように構成される郵便受け箱にあっては、該郵便受け箱を、その投入路部の先端側を該取付け対象構造体の他方の面側に都合良く露出させた状態で、この郵便受け箱の受け箱部に備えられる板状スペーサーを、その付勢手段に抗して受け箱部内に押し戻すように調整した態様において、その先端を取付け対象構造体の一方の側面に突き当て状態として、取付け対象構造体に備えさせることができ、郵便受け箱に外力が作用した場合にあっても、該郵便受け箱が取付け対象構造体によって効果的に支承されるように機能する。
【００２０】
また、このように構成される郵便受け箱にあっては、その受け箱部の両側縁部に開口するように備えられているスリットから突き出す向きに付勢されて備えられている夫々の板状スペーサーを、この受け箱部に向き合っている取付け対象構造体の面に対して夫々独立に、弾発状態で当接させ得ることから、当該郵便受け箱の備えられる取付け対象構造体における当該板状スペーサーの夫々の当接する面が相互に段差を有する凹凸状とされている場合にあっても、当該郵便受け箱を取付け対象構造体に対して、この取付け対象構造体との間に取付け隙間を生じさせることなく備えることができる。
【００２１】
また、かかる構成からなる郵便受け箱にあっては、この取付け対象構造体に向き合っている該郵便受け箱における受け箱部の両側縁部に開口するように備えられているスリットから付勢手段によって突き出されている夫々の板状スペーサーの先端を、この受け箱部の向きあっている取付け対象構造体の面に当接させることによって、この各板状スペーサー間にある受け箱部に向き合っている取付け対象構造体の面における形態に影響されることなく、該郵便受け箱を取付け対象構造体に対して、がたなく安定に備えることができる。
【００２２】
【発明の実施の形態】
以下、本発明の典型的な各実施の形態に係る郵便受け箱Ａについて詳細に説明する。
【００２３】
図１〜図６は、第１の実施の形態に係る郵便受け箱Ａを示すものであって、図１は当該郵便受け箱Ａを構成する部品を分離して斜視図の状態で示しており、図２は当該郵便受け箱Ａを側面から見て示すと共に、図３は、これを縦方向で断面した状態を、図４は当該郵便受け箱Ａを受け箱部２１部分において水平方向で断面することで、更に、図５は、この水平断面の要部を拡大した状態で夫々示し、図６は、当該郵便受け箱Ａを取付け対象構造体Ｂに備えさせた態様を、その主要部を断面することで示している。
【００２４】
図７〜図１１は、第２の実施の形態に係る郵便受け箱Ａを示すものであって、図７は、当該郵便受け箱Ａを構成する部品を分離して斜視図の状態で示しており、図８は当該郵便受け箱Ａを縦方向で断面した状態を、図９は、当該郵便受け箱Ａを受け箱部２１部分において水平方向で断面することで、更に、図１０は、この水平断面の要部を拡大した状態で夫々示しており、図１１は、当該郵便受け箱Ａを取付け対象構造体Ｂに備えさせた態様を、その主要部を断面することで示している。
【００２５】
図１２〜図１６は、第３の実施の形態に係る郵便受け箱Ａを示すものであって、図１２は、当該郵便受け箱Ａを構成する部品を分離して斜視図の状態で示しており、図１３は当該郵便受け箱Ａを縦方向で断面することで、図１４は当該郵便受け箱Ａを受け箱部２１部分において水平方向で断面することで、更に、図１５は、この水平断面の要部を拡大した状態で夫々示し、更に、図１６では、この郵便受け箱Ａを取付け対象構造体Ｂに備えさせた態様を、その主要部を断面することで示している。
【００２６】
先ず、図１〜図６に示される第１の実施の形態にかかる郵便受け箱Ａについて具体的に説明する。
この図１〜図６に示される第１の実施の形態にかかる郵便受け箱Ａは、郵便物の受入れ室２３を備えると共に該受入れ室２３内の郵便物の取出し口２５を備えた受け箱部２１と、この受け箱部２１の上部側から前方に向けて一体に突設されると共に前記受入れ室２３に連通し且つ先端側に投入口２６を備えた投入通路２４を有する投入路部２２とを有し、取付け対象構造体Ｂの一方の面Ｂａ側に該投入路部２２の下方にある前記受け箱部２１の面２１ａを向き合わせ、且つ、該投入路部２２を該投入路部２２の先端側が該取付け対象構造体Ｂの他方の面Ｂｂ側に露出するように該取付け対象構造体Ｂに備えられる郵便受け箱本体２０と、
前記投入路部２２の下方にある前記受け箱部２１における前記取付け対象構造体Ｂに向き合う面２１ａの両側縁部２１ｂに沿って該面２１ａに開口するように備えられている縦方向を向いたスリット２８から突き出し量を調整可能に該郵便受け箱本体２０に備えられる板状スペーサー１０とを有する構成としてある。
【００２７】
このように構成される郵便受け箱Ａにあっては、当該郵便受け箱Ａを取付け対象構造体Ｂに対して、その投入路部２２の先端側を該取付け対象構造体Ｂの一方の面Ｂｂ側に都合良く露出させた態様において、当該取付け対象構造体Ｂにおける他方の面Ｂａに対して板状スペーサー１０の先端を当接させて、当該郵便受け箱Ａと取付け対象構造体Ｂとの間に取付け隙間を生じさせることなく備えさせることができ、郵便受け箱Ａに外力が作用した場合にあっても、該郵便受け箱Ａが取付け対象構造体Ｂによって効果的に支承され、その取付け姿勢が損なわれないように作用する。
【００２８】
また、このように構成される郵便受け箱Ａにあっては、その受け箱部２１の両側縁部２１ｂに開口するように備えられているスリット２８から、突き出し量を調整可能に備えられる夫々の板状スペーサー１０を、この受け箱部２１に向き合っている取付け対象構造体Ｂの面Ｂａに対し、その夫々の先端を当接するように突き出し量を調整セットすることが可能とされ、当該郵便受け箱Ａの備えられる取付け対象構造体Ｂにおける当該板状スペーサー１０の夫々の当接する面Ｂａが相互に段差を有する凹凸状とされている場合にあっても、当該郵便受け箱Ａを取付け対象構造体Ｂに対して、この取付け対象構造体Ｂとの間に取付け隙間を生じさせることなく備えることができ、このようにして備えられた郵便受け箱Ａは、これに外力が作用した場合にあっても、該郵便受け箱Ａが取付け対象構造体Ｂによって効果的に支承され、その取付け姿勢が損なわれないように作用する。
【００２９】
また、かかる構成からなる郵便受け箱Ａにあっては、取付け対象構造体Ｂに向き合う該郵便受け箱Ａにおける受け箱部２１の両側縁部２１ｂに開口するように備えられているスリット２８から突き出し量を調整可能に郵便受け箱本体２０に備えられている夫々の板状スペーサー１０の先端を、この受け箱部２１の向き合っている取付け対象構造体Ｂの面Ｂａに当接させることによって、この各板状スペーサー１０間にある受け箱部２１に向き合っている取付け対象構造体Ｂの面Ｂａにおける形態に何等影響されることなく、郵便受け箱Ａを取付け対象構造体Ｂに対して備えることができ、このようにして備えられた郵便受け箱Ａは、これに外力が作用した場合にあっても、該郵便受け箱Ａが取付け対象構造体Ｂによって効果的に支承され、その取付け姿勢が損なわれないように作用する。
【００３０】
この実施の形態に係る郵便受け箱Ａを構成する郵便受け箱本体２０は、郵便物の受入れられる受入れ室２３を有する受け箱部２１の取付け前面側の上部から前方に向けて突き出す投入通路２４を備えた投入路部２２を有し、取付け対象構造体Ｂに対して、当該投入路部２２を納め入れた状態に備えさせるようにした構成を備えたものであれば、いかなる形状、寸法からなるものであっても良く、また、いかなる材質によって構成されていても良い。
【００３１】
図示に係る郵便受け箱本体２０は、かかる実施の形態に係る郵便受け箱本体２０の典型的な具体例であって、取付け前面側に扁平な筒状に構成される投入路部２２を一連に備えるようにボックス状の受け箱部２１を備えた構成としてあり、この受け箱部２１と投入路部２２とを、例えば、ステンレススチールなどの耐久性、耐衝撃性に優れ、しかも、錆び難く、意匠性に優れた素材によって構成する。
【００３２】
かかる郵便受け箱本体２０は、典型的には、郵便受け箱本体２０を構成する平断面が四角形状をなす受け箱部２１の底面をなす底板部２９と、この底板部２９の両側縁から互いに平行となるように起立状態に備えられると共に受け箱部２１の側面を構成する受け箱部側板部３０ａ及び上部側で前方に突き出す投入路部２２の側板部となる長方状をなす投入路部側板部３０ｂとを一連に備えた両側板部３０と、この底板部２９と投入路部側板部３０ｂの下端に到る受け箱部側板部３０ａの前側端間を塞ぐように両側板部３０に直交する向きに備えられている前板部３１と、この前板部３１の上端から前記投入路部側板部３０ｂの下端間を塞ぐように前方に延びて投入路部２２の下面を構成する下面板部３２と、前記両側板部３０の上端間を塞いで受け箱部２１と投入路部２２の上面を構成する上板部３３と、この上板部３３の後端から前記受け箱部側板部３０ａの後端に沿って下方に延設されて当該受け箱部２１の後面側の上部を塞ぐ上側後板部３４とによって受入れ室２３と、この受入れ室２３の上部側で投入口２６に到るように当該受入れ室２３に連通した投入通路２４を構成してある。
【００３３】
また、かかる構成からなる受入れ室２３を構成する受け箱部２１の後面側に、この受入れ室２３内に前記投入口２６から投入通路２４を介して投入された郵便物の取り出し口２５を設けてある。即ち、前記両側板部３０の後端から屈曲された帯状板部３５が、前記上側後板部３４と面一となるように、該上側後板部３４の下端側と底板部２９との間の後面側の両側部分を塞ぐように設けてあると共に、これを更に受入れ室２３側に向けて前記側板部３０に平行に屈曲した帯状板部３６とし、更に、この帯状板部３６の内側端を前記側板部３０の側に向けて前記帯状板部３５に平行に屈曲した溝側板部３７とし、この溝側板部３７の先端を側板部３０と平行となるように受入れ室２３の内方に向けて屈曲した溝底板部３８とし、更に、この溝底板部３８の先端を互に近づく側に屈曲した前記帯状板部３５に平行な溝側板部３９とし、この溝側板部３７、３９と溝底板部３８との間にレール材４０を組付けた構成としてある。
また、前記上側後板部３４の下端縁を内側の稍々上方に向けて屈曲した帯板状の上板部４１としてあり、この上板部４１の先端を前記レール材４０の外側にある面に沿って起立した当板部４２とし、更に、前記側板部３０の後端部分と帯状板部３５及び帯状板部３６とで囲まれた両側にある底板部２９ｂ、２９ｂを除いた底板部２９の後端部側を該レール材４０の外側にある面に沿うように起立した立上り板部４３とし、更に、この立上り板部４３の上端を受入れ室２３と反対の側に突き出す受け鍔部４４として構成し、郵便物の取出し口２５を備える後面側を構成するようにしてある。
【００３４】
また、この受け箱部２１に設けられる取出し口２５を構成する前記レール材４０は、上下方向を向いた前後一対の溝４０ａ、４０ｂを備えた構成としてあり、このレール材４０を対として用意し、夫々のレール材４０を、夫々の帯状板部３６に連続して備えられている溝状板部３７と、溝底板部３８及び溝状板部３９との間に、互に溝の開口側を向き合うように納め入れ状態に備えた構成としてあり、外側にある溝４０ａの上部側に上板部４１の下方にある開口部分を塞ぐようにプレート４５Ａを嵌め殺しの状態に設け、且つ、前記溝状板部３９の夫々の内側面に添装するようにプレート４５Ｂを該プレート４５Ａと向き合うように設けると共に、奥側にある溝４０ｂに対して摘み４６を備えた蓋板２７を上下動可能に備えさせて、このプレート４５Ａ、４５Ｂと前記帯状板部３６及び受け鍔部４４との間に構成される取出し口２５を開閉し得るように構成してある。
なお、ここで、プレート４５Ａ、４５Ｂ及び蓋板２７は、内部を透かし視ることのできる耐衝撃性、耐久性に優れた透明なプラスチック材、例えば、ポリカーボネート板などによって構成される。
【００３５】
また、前記投入路部２２の先端部には、前記投入通路２４に連通する投入口２６を備えた口金４７を備えつけてある。
この投入路部２２の先端部に備えられる口金４７は、例えば、アルミ、アルミ鋳物、アルミダイキャスト、ステンレスなどによって構成されており、この口金４７の内側には、この投入口２６を塞ぐ蓋片４８をねじりコイルバネ４９によって該投入口２６を常時塞ぐ向きに付勢して設けてある。
即ち、該口金４７の内側上部側で、軸５０によって回動自在に装着された蓋片４８の下部先端側が、この投入口２６を構成する口金４７の下部内側面に前記ねじりコイルバネ４９によって常時突き当てられるように付勢された構成としてある。
【００３６】
かかる構成からなる郵便受け箱本体２０を取付け対象構造体Ｂに備える際に、この取付け対象構造体Ｂの面Ｂａに向き合う受け箱部２１における投入路部２２の下方にある面２１ａ、即ち、前記前板部３１によって構成される面２１ａの両側縁部２１ｂに備えられるスリット２８は、この前板部３１の両側縁部２１ｂに沿った縦方向に向けて細長状に開口する形態に備えられている。
【００３７】
かかるスリット２８は、更に具体的には、受け箱部側板部３０ａに連続し、且つ、これに直交するように備えられている前板部３１の両側縁部２１ｂ部分が開口状とされ、この開口縁にある前板部３１の側縁端が内方に屈曲された内折れ縁３１ａとされた構成としてあると共に、このスリット２８の内奥側に受け箱部側板部３０ａの内面に沿うように板状スペーサー１０の収納に適応する収納空間Ｙを備えた構成としてある。
【００３８】
かかる板状スペーサー１０の収納される収納空間Ｙは、互いに平行に備えられている夫々の受け箱部側板部３０ａの内側にあって、この受け箱部側板部３０ａに平行に備えられる内側隔壁板５２と、この受け箱部側板部３０ａの内側面との間に構成するようにしてある。
【００３９】
この収納空間Ｙを構成する内側隔壁板５２は、前端側が前記前板部３１における内折れ縁３１ａに添装されていると共に、受け箱部側板部３０ａに平行に備えられる略長方形状をなす側板部５２ａと、その内奥端側で受け箱部側板部３０ａに向けて屈曲されている奥板部５２ｂと、この奥板部５２ｂから受け箱部側板部３０ａの内側面に沿って内方に向けて屈曲して延設されている取付け板部５２ｃとを備えた構成としてあり、前記底板部２９の内側底面に下端を接した状態で、上端が、前記下面板部３２の延長線上に位置づけられる上下幅を備えたものとして用意される。
また、ここで収納空間Ｙを構成する内側隔壁板５２は、この収納空間Ｙに収納される板状スペーサー１０が、その先端に備えられている当接板部１２をスリット２８の開口縁に接するように収め入れられ、且つ、このスリット２８から引き出し用いられる当該板状スペーサー１０を上下方向において前後に向けて傾かせ得る動作空間を備えた奥行き幅を備えたものとして用意される。
【００４０】
かかる構成からなる内側隔壁板５２を、その下端縁を底板部２９の内側底面に当接し、その前端縁をスリット２８の開口縁に臨ませるように内折れ縁３１ａに添装状態とし、且つ、取付け板部５２ｃを受け箱部側板部３０ａの内側面に添装させた状態で、これを溶接など適宜の手法で当該受け箱部２１に対して一体に止着することによって、スリット２８に連通し、且つ、受入れ室２３と区分された一対の互いに平行となる収納空間Ｙ、Ｙを受け箱部２１の両側部に構成するようにしてある。
【００４１】
また、この収納空間Ｙを構成する内側隔壁板５２に対して、その水平方向、即ち、当該収納空間Ｙに納め入れられる板状スペーサー１０における出し入れ方向に長いガイド溝５４を設け、板状スペーサー１０をスリット２８から引き出し操作をなす際の案内と、突き出し量の調整された板状スペーサー１０を固定する手段として用いるようにしてある。
【００４２】
かかる内側隔壁板５２に備えられるガイド溝５４は、収納空間Ｙにおける板状スペーサー１０の収納と、スリット２８からの当該板状スペーサー１０の出し入れ動作に際して、当該板状スペーサー１０を円滑に操作し得るように、互に平行な複数個のガイド溝５４を、当該内側隔壁板５２における上下方向に亘って所定間隔を離して設けるようにしてある。
【００４３】
かかる夫々のスリット２８に対して突き出し量を調整可能に備えられる一対の板状スペーサー１０は、長方形状をなす基板部１１と、各スリット２８、２８に夫々備えられた各板状スペーサー１０における夫々の基板部１１の先端縁から互に近づく向き、即ち、スリット２８の側方にある面２１ａに当接し得る向きに向けて屈曲して該基板部１１に連続して設けられている当接板部１２と、この基板部１１の内側端縁から該当接板部１２と向き合うように屈曲して該基板部１１に連続して設けられている起立板部１３と、この起立板部１３から前記基板部１１と平行となるように屈曲して更に内方に向けて延設されている取付け板部１４とを備えた構成としてあり、基板部１１における外側にある面を受け箱部側板部３０ａの内側の面に摺接するように向き合わせ、且つ、取付け板部１４における内側にある面を内側隔壁板５２の外側にある面に摺接するように向き合わせた態様で、スリット２８から前記収納空間Ｙに対して、少なくとも当接板部１２が該スリット２８の外方に位置づけられるように納め入れられた態様に構成してある。
【００４４】
かかるスリット２８から収納空間Ｙに対して突き出し量を調整可能に備えられる板状スペーサー１０に備えられる当接板部１２は、この収納空間Ｙに対して当該板状スペーサー１０を押し入れた際に当該当接板部１２が、受け箱部２１における面２１ａに当接し、板状スペーサー１０の収納空間Ｙ内に向けた没入を生じないように、この板状スペーサー１０の備えられるスリット２８の開口幅よりも幅広の板幅を備えたものとして構成してある。
【００４５】
また、ここでスリット２８から収納空間Ｙに対して突き出し量を調整可能に備えられる板状スペーサー１０は、この板状スペーサー１０によって、取付け対象構造体Ｂに備えられる郵便受け箱本体２０における受け箱部２１と当該取付け対象構造体Ｂの面Ｂａとの間に生ずる隙間を効果的に塞ぎ得る形態、即ち、前記スリット２８と、これに連続される収納空間Ｙに対して、その上下方向において前後に傾かせ得るように若干寸法を短くした態様で、このスリット２８及び収納空間Ｙに対して略その上下幅に近似した上下幅を備えたものとして設けられる。
【００４６】
尚、ここで、スリット２８から収納空間Ｙに収め入れられる板状スペーサー１０は、その奥端側に備えられている取付け板部１４の上下部分をカット状態にした切欠部１５とし、基板部１１の上下幅より稍々短く構成してあり、当該スリット２８及び収納空間Ｙ内における板状スペーサー１０の前後方向に向けた傾動に適合し得るように構成してある。
【００４７】
ここで郵便受け箱本体２０に備えられる板状スペーサー１０は、当該郵便受け箱本体２０を取付け対象構造体Ｂに備え付けた際に、この郵便受け箱本体２０における受け箱部２１と該取付け対象構造体Ｂの面Ｂａとの間に生ずる隙間を塞ぎ得るものであれば、いかなる素材によって構成されていても良く、典型的には、この郵便受け箱本体２０を構成する素材と同一の構成素材、例えば、ステンレススチールなどによって構成することが好ましく、これによって郵便受け箱本体２０と共に一連の意匠的な外観を備えた郵便受け箱Ａを構成することができる。
【００４８】
また、この郵便受け箱本体２０に備えられる板状スペーサー１０は、この板状スペーサー１０の先端を取付け対象構造体Ｂの面Ｂａに対して緩衝しながら当接し得るように、当接板部１２の先端面にクッション材１７を備えさせた構成としてある。
【００４９】
かかる板状スペーサー１０の当接板部１２の先端面に添着状態に備えられるクッション材１７は、この板状スペーサー１０の当接板部１２が取付け対象構造体Ｂの面Ｂａに対して適宜緩衝されながら当接し得る素材であれば、いかなる素材によって構成してあっても良く、例えば、ウレタンフォーム材などの各種のプラスチックフォーム材、セルラーラバー材など、相応の緩衝機能を備え、且つ、相応の耐久性を備えた素材を板片状にして添装接着して構成することができる。
【００５０】
かかる構成からなる板状スペーサー１０は、この板状スペーサー１０における取付け板部１４に設けられている雌ネジ孔１６に螺挿されるロック部材５５によって、スリット２８からの適宜の突き出し位置において内側隔壁板５２に着脱可能に締着される構成としてある。
【００５１】
この板状スペーサー１０の固定、及びスリット２８からの脱け出しを防止するロック部材５５は、ガイド溝５４の溝幅よりも大きい頭部５５ｂと、上下方向に遊びをもたせるように当該ガイド溝５４の溝幅よりも小さい直径寸法のネジ桿部５５ａとを備えた構成としてあり、当該板状スペーサー１０を上下方向において前後に向けて傾かせ得るようにしてある。
【００５２】
かかる構成からなる一対の板状スペーサー１０を、この板状スペーサー１０における基板部１１を受け箱側部板部３０ａの内側面に沿わせ、且つ、取付け板部１４を内側隔壁板５２の面に沿わせた状態で、この取付け板部１４の側からスリット２８に差し入れると共に、頭部５５ｂを受入れ室２３側にしてガイド溝５４から板状スペーサー１０の雌ネジ孔１６にネジ桿部５５ａを螺挿したロック部材５５を螺回することによって、当該スリット２８から収納空間Ｙに収納した板状スペーサー１０を当該スリット２８から所要幅突き出させた態様で、内側隔壁板５２の面に圧締着状態に固定し、取付け対象構造体Ｂにおける面Ｂａに板状スペーサー１０の先端を当接させるように構成する。
【００５３】
尚、前記投入路部２２を構成する下面板部３２の上方と、前記前板部３１の内方とに沿うように前記口金４７によって構成される投入口２６から奥側に向けて緩やかに下降し、且つ、前板部３１の内方に沿って下方に向けて屈曲されると共に、前記内側隔壁板５２，内側隔壁板５２間に納まる態様に内装板５８が設けてある。
また、前記底板部２９には、切り込みによって起立された起立片２９ａによって複数の水抜き孔５１が設けてあり、この水抜き孔５１を構成する起立片２９ａ上を覆うように倒皿状をなす内底板５３を前記内側隔壁板５２，内側隔壁板５２間に収まる態様に設けてある。
【００５４】
かかる構成からなる郵便受け箱Ａを、取付け対象構造体Ｂの構成に際して、該取付け対象構造体Ｂに対して組付けながら当該取付け対象構造体Ｂを構成することによって、当該郵便受け箱Ａを備えた取付け対象構造体Ｂとする。
あるいは又、既に構成されている取付け対象構造体Ｂに対して郵便受け箱本体２０における投入路部２２を差し込み組付けるようにして郵便受け箱Ａを備えた取付け対象構造体Ｂとする。
【００５５】
かかる郵便受け箱Ａの備えられる取付け対象構造体Ｂは、当該取付け対象構造体Ｂにおける一方の側に受け箱部２１を、該受け箱部２１における面２１ａを該取付け対象構造体Ｂにおける一方の側の面Ｂａに向き合わせ且つ該郵便受け箱本体２０における投入路部２２の先端側を当該取付け対象構造体Ｂにおける他方の側の面Ｂｂに露出するように組み込み可能な構造体であれば、門、門袖、塀、玄関の壁、家屋における壁などの各種の構造体など、いかなる構造体であっても当該郵便受け箱Ａを備えさせ得る取付け対象構造体Ｂとすることができる。
【００５６】
かかる郵便受け箱Ａの取付け対象構造体Ｂに対する備えつけは、例えば、取付け対象構造体Ｂがブロック塀である場合にあっては、コンクリートブロック６０を所要の高さまで積み上げると共に、コンクリートブロック６０上に目地モルタル６１を介して前記郵便受け箱本体２０における投入路部２２を、この投入路部２２における先端側が、取付け対象構造体Ｂにおける外側にある面Ｂｂ側に都合良く露出する態様、典型的には口金４７部分が当該取付け対象構造体Ｂの厚幅側から突き出すように載せかけると共に、この投入路部２２周面に目地モルタル６１を介装しながら、更に、コンクリートブロック６０の積込みをなすことで当該郵便受け箱本体２０を取付け対象構造体Ｂに対して設ける。
【００５７】
このようにして郵便受け箱本体２０を取付け対象構造体Ｂに備えさせた後、又は、郵便受け箱本体２０を取付け対象構造体Ｂに対して備えさせる過程において、前記スリット２８から収納空間Ｙに対して収納用意されている夫々の板状スペーサー１０を、この夫々の板状スペーサー１０における当接板部１２が受け箱部２１の向き合っている取付け対象構造体Ｂの面Ｂａに対して当接するように突き出させると共に、この夫々の当接板部１２が受け箱部２１の向き合っている取付け対象構造体Ｂの面Ｂａに対して当接された態様で、この板状スペーサー１０の夫々のロック部材５５を取出し口２５からの操作によって締めつけ、内側隔壁板５２に固定させることによって受け箱部２１と取付け対象構造体Ｂの面Ｂａとの間に生ずる隙間を当該板状スペーサー１０によって塞いだ構成とし、郵便受け箱Ａを取付け対象構造体Ｂに対して安定に備えることができ、これによって、郵便受け箱Ａに何らかの外力がかかった場合においても、この郵便受け箱Ａは、前記面Ｂａによって取付け対象構造体Ｂによって支承され、この取付け対象構造体Ｂに対する取付け姿勢が確実に維持される構成とされる。
【００５８】
また、かかる郵便受け箱本体２０を取付け対象構造体Ｂに備えさせる前に、前もって、取付け対象構造体Ｂと、これに備えられる郵便受け箱本体２０との間に生ずる隙間を塞ぐ寸法となるようにスリット２８から板状スペーサー１０を突き出させた態様に、当該板状スペーサー１０をロック部材５５によって内側隔壁板５２に固定用意した郵便受け箱Ａを、この取付け対象構造体Ｂにおけるコンクリートブロック６０の積込みに際して、当該板状スペーサー１０における当接板部１２を取付け対象構造体Ｂの面Ｂａに当接するように組付け構成するようにしてあっても良い。
【００５９】
このように構成される郵便受け箱Ａにあっては、この郵便受け箱Ａの備えられる取付け対象構造体Ｂにおける厚幅寸法が異なる場合、例えば、各種規格からなるコンクリートブロック６０を用いて構成される各種態様の取付け対象構造体Ｂに対して、同一の突き出し寸法からなる投入路部２２を備えた郵便受け箱本体２０を、この郵便受け箱本体２０における板状スペーサー１０の先端と取付け対象構造体Ｂにおける面Ｂａとの間に何等の取付け隙間を生ずることなく設けることが可能とされ、このようにして備えられる郵便受け箱Ａは、これに何らかの外力がかかった場合においても、前記面Ｂａによって取付け対象構造体Ｂによって支承され、この取付け対象構造体Ｂに対する取付け姿勢が確実に維持される構成とされる。
【００６０】
特に、かかる構成からなる郵便受け箱Ａにあっては、この郵便受け箱Ａを構成している板状スペーサー１０が、郵便受け箱本体２０における受け箱部２１の面２１ａの両側縁部２１ｂに沿って備えられる夫々のスリット２８、２８に対して、夫々に独立して備えられていることから、この取付け対象構造体Ｂに備えられる郵便受け箱Ａにおける受け箱部２１と向き合っている当該取付け対象構造体Ｂの面Ｂａとの間における間隔が、この受け箱部２１の各両側縁部２１ｂ、２１ｂにおいて異なっている場合、即ち、郵便受け箱Ａの備えられる取付け対象構造体Ｂの面Ｂａが段差状の取付け面とされている場合にあっても、この取付け対象構造体Ｂの面Ｂａに対して、郵便受け箱Ａの受け箱部２１の両側縁部２１ｂの夫々のスリット２８から夫々個別に突き出し調整される夫々の板状スペーサー１０を当接することによって、当該板状スペーサー１０の先端と取付け対象構造体Ｂにおける面Ｂａとの間に何等の取付け隙間を生ずることなく、当該郵便受け箱Ａを取付け対象構造体Ｂに設けることが可能とされ、このようにして備えられる郵便受け箱Ａは、これに何らかの外力がかかった場合においても、前記面Ｂａによって取付け対象構造体Ｂによって支承され、この取付け対象構造体Ｂに対する取付け姿勢が確実に維持される構成とされる。
【００６１】
また、このようにして取付け対象構造体Ｂに備えられる郵便受け箱Ａにあっては，取付け対象構造体Ｂの面Ｂａに向き合っている受け箱部２１の面２１ａが面的に当該取付け対象構造体Ｂの面Ｂａに当接されることがなく、この取付け対象構造体Ｂの両側縁部２１ｂの夫々のスリット２８から夫々個別に取り出される板状スペーサー１０における当接板部１２部分のみが、当該取付け対象構造体Ｂの面Ｂａに当接する構成とされることから、この受け箱部２１の面２１ａの向き合っている取付け対象構造体Ｂの面Ｂａが凹凸面とされている場合にあっても、当該取付け対象構造体Ｂにおける凹凸面に影響されることなく、安定に、がたなく、郵便受け箱Ａを取付け対象構造体Ｂに備えさせることができる。
【００６２】
また、この図示例にあっては、スリット２８から収納空間Ｙに差し込み収納されている板状スペーサー１０が当該スリット２８及び収納空間Ｙに対して、図２に示されるように上下方向で前後に向けて傾かせ得るように遊び隙間を有する状態で、当該スリット２８及び収納空間Ｙに備えられていることから、郵便受け箱Ａが備えられる受け箱部２１に向き合っている取付け対象構造体Ｂの面Ｂａが、その上下方向に亘って凹凸様の傾斜面とされている場合にあっても、この凹凸面に板状スペーサー１０の先端を当接させることができ、該凹凸面に影響されることなく、郵便受け箱Ａを安定に、がたなく、取付け対象構造体Ｂに備えさせることができる。
【００６３】
次いで、図７〜図１１で示される第２の実施の形態に係る郵便受け箱Ａについて具体的に説明する。
【００６４】
この第２の実施の形態に係る郵便受け箱Ａは、郵便受け箱本体２０における受け箱部２１の両側縁部２１ｂに備えられている夫々のスリット２８から収納空間Ｙに対して、収納状態に備えられる板状スペーサー１０が、同一平面内に位置づけられる上側板状スペーサー１０Ａと下側板状スペーサー１０Ｂとによって構成してある以外の構成を前記第１の実施の形態に係る郵便受け箱Ａの構成と同一、又は実質的に同一の構成としてある。
【００６５】
従って、この第２の実施の形態に係る郵便受け箱Ａにおいて、前記第１の実施の形態に係る郵便受け箱Ａと同一及び実質的に同一の構成部分については、同一の番号を付して、その説明を省略する。
【００６６】
この実施の形態に係る郵便受け箱Ａを構成する郵便受け箱本体２０は、郵便物の受入れ室２３を備えると共に該受入れ室２３内の郵便物の取出し口２５を備えた受け箱部２１と、この受け箱部２１の上部側から前方に向けて一体に突設されると共に前記受入れ室２３に連通し且つ先端側に投入口２６を備えた投入通路２４を有する投入路部２２とを有し、取付け対象構造体Ｂの一方の面Ｂａ側に該投入路部２２の下方にある前記受け箱部２１の面２１ａを向き合わせ、且つ、該投入路部２２を該投入路部２２の先端側が該取付け対象構造体Ｂの他方の面Ｂｂ側に露出するように該取付け対象構造体Ｂに備えられる郵便受け箱本体２０と、
前記投入路部２２の下方にある前記受け箱部２１における前記取付け対象構造体Ｂに向き合う面２１ａの両側縁部２１ｂに沿って該面２１ａに開口するように備えられている縦方向を向いたスリット２８から突き出し量を調整可能に該郵便受け箱本体２０に備えられる板状スペーサー１０とを有する構成としてある。
【００６７】
この実施の形態に係る郵便受け箱Ａを構成する郵便受け箱本体２０は、前記第１の実施の形態に係る郵便受け箱Ａを構成する郵便受け箱本体２０と同様のスリット２８と、当該スリット２８に連続した収納空間Ｙを備えており、このスリット２８と収納空間Ｙに対して、その上下に、互に重なり合わない態様で２枚一組の上側板状スペーサー１０Ａと下側板状スペーサー１０Ｂとを備えさせた構成としてある。
【００６８】
即ち、この実施の形態に係る郵便受け箱Ａを構成する郵便受け箱本体２０に備えられる板状スペーサー１０は、前記第１の実施の形態に係る郵便受け箱Ａを構成する郵便受け箱本体２０に備えられている板状スペーサー１０を、その上下方向における途中で二分した上側板状スペーサー１０Ａ及び下側板状スペーサー１０Ｂとして構成した態様、即ち、夫々に基板部１１と、上側板状スペーサー１０Ａ相互間及び下側板状スペーサー１０Ｂ相互間において互の側に向けて該基板部１１の先端側から屈曲して備えられ且つ前記スリット２８の開口幅よりも幅広とされている当接板部１２と、この当接板部１２と平行となるように該基板部１１の内奥側で内側隔壁板５２に近接するように屈曲されている起立板部１３と、この起立板部１３の先端側から前記基板部１１に平行となるように屈曲して内奥側に向けて延設されている取付け板部１４とを備えた構成としてあり、この上側板状スペーサー１０Ａと下側板状スペーサー１０Ｂとが前記スリット２８と、これに連続して備えられている収納空間Ｙ内の上部側と下部側とに相互に重なり合わない態様、即ち、下部側に備えられる下側板状スペーサー１０Ｂの上端縁に上部側に備えられる上側板状スペーサー１０Ａの下端縁を近接させ、且つ、当該下側板状スペーサー１０Ｂと上側板状スペーサー１０Ａとが同一平面内に位置づけられるように設けてあり、しかも、この２枚の上側板状スペーサー１０Ａと下側板状スペーサー１０Ｂとによって取付け対象構造体Ｂに備えられる郵便受け箱本体２０における受け箱部２１と当該取付け対象構造体Ｂの面Ｂａとの間に生ずる隙間を効果的に塞ぎ得るように、上側板状スペーサー１０Ａの上端縁が前記下面板部３２の略延長線上に位置づけられ、しかも下側板状スペーサー１０Ｂの下端縁が底板部２９に略接す態様に構成してある。
【００６９】
かかるスリット２８から引き出し、繰入可能な態様に収納空間Ｙに備えられる上側板状スペーサー１０Ａ及び下側板状スペーサー１０Ｂの水平方向に向けた移動を夫々に案内するガイド溝５４を、上側板状スペーサー１０Ａを案内する平行且つ水平の向きにある上下一対のガイド溝５４、５４として用意し、また、下側板状スペーサー１０Ｂを案内する平行且つ水平の向きにある上下一対のガイド溝５４、５４として用意してあり、受入れ室２３の側から、この夫々のガイド溝５４を介してロック部材５５におけるネジ桿部５５ａを前記上側板状スペーサー１０Ａ及び下側板状スペーサー１０Ｂにおける夫々の雌ネジ孔１６に螺挿し得る構成としてあり、このロック部材５５の締め込みによって当該上側板状スペーサー１０Ａ及び下側板状スペーサー１０Ｂを、夫々に前記スリット２８から任意の突き出し量となるように引き出した位置及び夫々に上下方向において前後に傾かせた状態で、内側隔壁板５２に着脱自在に締着して用いる。
【００７０】
かかる構成よりなる郵便受け箱Ａにあっては、前記第１の実施の形態に係る郵便受け箱Ａと同様の手法で、当該郵便受け箱Ａを取付け対象構造体Ｂに対して備えさせることができ、特に、受け箱部２１の両側縁部２１ｂの夫々に、その上下に対をなして備えられている夫々の上側板状スペーサー１０Ａと下側板状スペーサー１０Ｂとを、夫々個別に調整して、当該夫々の上側板状スペーサー１０Ａ及び下側板状スペーサー１０Ｂにおける当接板部１２ａの先端を取付け対象構造体Ｂにおける面Ｂａに当接した状態として該郵便受け箱Ａを取付け対象構造体Ｂに備えさせることができる。
【００７１】
かかる構成からなる郵便受け箱Ａにあっては、前記第１の実施の形態に係る郵便受け箱Ａにおける特長に併せて、郵便受け箱Ａの備えられる取付け対象構造体Ｂにおける当該郵便受け箱Ａを構成する郵便受け箱本体２０に向き合っている面Ｂａが、その水平方向と、上下方向において、凹凸様の化粧面を備えている場合にあっても、当該上側板状スペーサー１０Ａ及び下側板状スペーサー１０Ｂの先端を取付け対象構造体Ｂに夫々当接した態様に郵便受け箱Ａを取付け対象構造体Ｂに対して、安定に、がたなく、備えさせることができ、この郵便受け箱Ａに何らかの外力がかかった場合においても、この郵便受け箱Ａは、前記面Ｂａによって取付け対象構造体Ｂによって支承され、この取付け対象構造体Ｂに対する取付け姿勢が確実に維持される構成とされる。
尚、この実施の形態に係る郵便受け箱Ａにあっては、夫々のスリット２８に備えられる板状スペーサー１０を、上側板状スペーサー１０Ａと下側板状スペーサー１０Ｂとの対をなす構成としてあるが、３枚以上のプレートによって当該板状スペーサー１０を構成するようにしてあっても良い。
【００７２】
次いで、図１２〜図１６において示される第３の実施の形態に係る郵便受け箱Ａについて具体的に説明する。
この第３の実施の形態に係る郵便受け箱Ａは、この郵便受け箱Ａを構成する郵便受け箱本体２０に備えられる板状スペーサー１０を付勢手段５６によって、常時スリット２８から突き出す向きに付勢してある以外の構成を前記第１の実施の形態に係る郵便受け箱Ａと同一又は実質的に同一の構成としてある。
【００７３】
従って、前記第１の実施の形態にかかる郵便受け箱Ａと同一及び実質的に同一の構成部分については同一の番号を付して、その説明を省略する。
【００７４】
この第３の実施の形態に係る郵便受け箱Ａは、郵便物の受入れ室２３を備えると共に該受入れ室２３内の郵便物の取出し口２５を備えた受け箱部２１と、この受け箱部２１の上部側から前方に向けて一体に突設されると共に前記受入れ室２３に連通し且つ先端側に投入口２６を備えた投入通路２４を有する投入路部２２とを有し、取付け対象構造体Ｂの一方の面Ｂａ側に該投入路部２２の下方にある前記受け箱部２１の面２１ａを向き合わせ、且つ、該投入路部２２を該投入路部２２の先端側が該取付け対象構造体Ｂの他方の面Ｂｂ側に露出するように該取付け対象構造体Ｂに備えられる郵便受け箱本体２０と、前記投入路部２２の下方にある前記受け箱部２１における前記取付け対象構造体Ｂに向き合う面２１ａの両側縁部２１ｂに沿って該面２１ａに開口するように備えられている縦方向を向いたスリット２８から突き出す向きに付勢されて該郵便受け箱本体２０に備えられている板状スペーサー１０とを有する構成としてある。
【００７５】
かかる第３の実施の形態に係る郵便受け箱Ａにあっては、スリット２８から収納空間Ｙ内に納め入れられている板状スペーサー１０の取付け板部１４の先端側に、この先端側から前記起立板部１３と平行となるように屈曲して備えられる受け板部１８が設けてあり、この受け板部１８に設けた孔１９に付勢手段５６を構成する圧縮コイルバネ５６ａの一端側を引っ掛けるようになすと共に、この孔１９に向き合って内側隔壁板５２における奥板部５２ｂに設けられているガイド突起５７に該圧縮コイルバネ５６ａの他端側を被嵌状態に保持させ、この圧縮コイルバネ５６ａの付勢によって、当該板状スペーサー１０を、スリット２８から突き出す向きに付勢してあると共に、この付勢手段５６として構成される圧縮コイルバネ５６ａの付勢に抗して、当該板状スペーサー１０を、この板状スペーサー１０における当接板部１２をスリット２８の開口面に当接させるように押し込み可能な形態、即ち、当該当接板部１２をスリット２８の開口面に接するように板状スペーサー１０を収納空間Ｙに押し入れた際に、この収納空間Ｙ内に押し入れられた板状スペーサー１０における受け板部１８と前記内側隔壁板５２における奥板部５２ｂとの間に当該圧縮コイルバネ５６ａが圧縮状態に納め入れられる間隔を備えるように当該収納空間Ｙが構成してある。
【００７６】
また、この実施の形態に係る郵便受け箱Ａにあっては、内側隔壁板５２におけるガイド溝５４からロック部材５５におけるネジ桿部５５ａを板状スペーサー１０の雌ネジ孔１６に螺挿し、このガイド溝５４内で移動されるロック部材５５におけるネジ桿部５５ａを当該板状スペーサー１０の案内手段として機能させると共に、この板状スペーサー１０が圧縮コイルバネ５６ａによって当該スリット２８から脱け出すのを防止する手段としてあり、しかも、このロック部材５５の締込みによって当該板状スペーサー１０を圧縮コイルバネ５６ａの付勢に抗して停止状態に固定する手段として用い得るようにしてある。
【００７７】
かかる構成からなる郵便受け箱Ａにあっては、前記第１の実施の形態に係る郵便受け箱Ａにおける特長に併せて、この構成された郵便受け箱Ａにおける板状スペーサー１０を、この板状スペーサー１０の付勢手段５６の付勢に抗して、該板状スペーサー１０の夫々の先端を取付け対象構造体Ｂの面Ｂａに対して当接状態としながら、当該板状スペーサー１０の突き出し幅を調整して、この郵便受け箱Ａを取付け対象構造体Ｂに対して備えさせることができる。
即ち、この実施の形態に係る郵便受け箱Ａにあっては、当該郵便受け箱Ａを、取付け対象構造体Ｂに備えさせる際に、この郵便受け箱Ａにおける投入路部２２を取付け対象構造体Ｂ上に載せかけると共に、この郵便受け箱Ａに備えられている板状スペーサー１０を当該取付け対象構造体Ｂの面Ｂａに押しつけることのみによって、この夫々の板状スペーサー１０はその当接板部１２を該夫々の面Ｂａに接した状態で、この面Ｂａの凹凸面に追随した突き出し幅にセットされると共に、当該面Ｂａにおける上下方向に凹凸のある場合にあっても、この凹凸に対して夫々の板状スペーサー１０が上下方向において前後に向けて傾きながら追随セットされる特長を有している。
【００７８】
従って、この実施の形態に係る郵便受け箱Ａにあっては、郵便受け箱Ａを構成する板状スペーサー１０の突き出し幅を逐一調整する必要がなく、取付け対象構造体Ｂの面Ｂａに対して、板状スペーサー１０の先端側にある当接板部１２を付勢手段５６によって当接状態とすることで、取付け対象構造体Ｂに備えられる郵便受け箱本体２０における受け箱部２１の面２１ａと、当該取付け対象構造体Ｂの面Ｂａとの間に生ずる隙間を確実に塞いだ状態として用い、また、当該当接板部１２の当接状態において、前記ロック部材５５によって、この板状スペーサー１０を内側隔壁板５２に対して固定させることによって、郵便受け箱Ａを取付け対象構造体Ｂに対して、安定に、がたなく、備えさせることができ、この郵便受け箱Ａに何らかの外力がかかった場合においても、この郵便受け箱Ａは、前記面Ｂａによって取付け対象構造体Ｂによって支承され、この取付け対象構造体Ｂに対する取付け姿勢が確実に維持される構成とされる。
【００７９】
尚、この実施の形態に係る郵便受け箱Ａにあっては、板状スペーサー１０を付勢する付勢手段５６を、上下に備えられる一対の圧縮コイルバネ５６ａとした構成を示しているが、更に多数の圧縮コイルバネを介装して構成してあっても良く、また、板バネその他の付勢手段によって当該付勢手段５６を構成してあっても良い。
【００８０】
また、この実施の形態に係る郵便受け箱Ａにあっても、この郵便受け箱Ａを構成する該スリット２８に備えられる板状スペーサー１０を、第２の実施の形態に係る郵便受け箱Ａにおけると同様に複数枚の板状スペーサー１０として構成するようにしてあっても良い。
【００８１】
【発明の効果】
この請求項１記載の発明に係る郵便受け箱は、郵便物の受入れ室を備えると共に該受入れ室内の郵便物の取出し口を備えた受け箱部と、この受け箱部の上部側から前方に向けて一体に突設されると共に前記受入れ室に連通し且つ先端側に投入口を備えた投入通路を有する投入路部とを有し、取付け対象構造体の一方の面側に該投入路部の下方にある前記受け箱部の面を向き合わせ、且つ、該投入路部を該投入路部の先端側が該取付け対象構造体の他方の面側に露出するように該取付け対象構造体に備えられる郵便受け箱本体と、前記投入路部の下方にある前記受け箱部における前記取付け対象構造体に向き合う面の両側縁部に沿って該面に開口するように備えられている縦方向を向いたスリットから突き出し量を調整可能に該郵便受け箱本体に備えられる板状スペーサーとを有する構成としてあることから、その投入路部の先端側を該取付け対象構造体の一方の面側に都合良く露出させた態様において、当該取付け対象構造体における他方の面に対して夫々の板状スペーサーの先端を当接させ、当該郵便受け箱と取付け対象構造体との間に取付け隙間を生じさせることなく、当該郵便受け箱を取付け対象構造体に対して備えることができ、郵便受け箱に外力が作用した場合にあっても、該郵便受け箱が取付け対象構造体によって効果的に支承される特長を有している。
【００８２】
また、このように構成される郵便受け箱にあっては、その受け箱部の両側縁部に開口するように備えられているスリットから突き出し量を調整可能に郵便受け箱本体に備えられる夫々の板状スペーサーを、この受け箱部に向き合っている取付け対象構造体の面に対し、その夫々の先端を当接するように突き出し量を調整セットすることが可能とされ、当該郵便受け箱の備えられる取付け対象構造体における当該板状スペーサーの夫々の当接する面が相互に段差を有する凹凸状とされている場合にあっても、当該郵便受け箱を取付け対象構造体に対して、この取付け対象構造体との間に取付け隙間を生じさせることなく備えることができる特長を有している。
【００８３】
また、かかる構成からなる郵便受け箱にあっては、取付け対象構造体に向き合っている該郵便受け箱における受け箱部の両側縁部に開口するように備えられているスリットから突き出し量を調整可能に郵便受け箱本体に備えられている夫々の板状スペーサーの先端を、この受け箱部の向き合っている取付け対象構造体の面に当接させることによって、この各板状スペーサー間にある受け箱部に向き合っている取付け対象構造体の面における形態に何等影響されることなく、該郵便受け箱を取付け対象構造体に対して、がたなく、安定に備えることができる特長を有している。
【００８４】
次いで、請求項２記載の発明に係る郵便受け箱は、郵便物の受入れ室を備えると共に該受入れ室内の郵便物の取出し口を備えた受け箱部と、この受け箱部の上部側から前方に向けて一体に突設されると共に前記受入れ室に連通し且つ先端側に投入口を備えた投入通路を有する投入路部とを有し、取付け対象構造体の一方の面側に該投入路部の下方にある前記受け箱部の面を向き合わせ、且つ、該投入路部を該投入路部の先端側が該取付け対象構造体の他方の面側に露出するように該取付け対象構造体に備えられる郵便受け箱本体と、前記投入路部の下方にある前記受け箱部における前記取付け対象構造体に向き合う面の両側縁部に沿って該面に開口するように備えられている縦方向を向いたスリットから突き出す向きに付勢されて該郵便受け箱本体に備えれらている板状スペーサーとを有する構成としてあることから、該郵便受け箱を、その投入路部の先端側を該取付け対象構造体の他方の面側に都合良く露出させた状態で、この郵便受け箱の受け箱部に備えられる板状スペーサーを、その付勢手段に抗して受け箱部内に押し戻すように調整した態様において、その先端を取付け対象構造体の一方の側面に突き当て状態として、取付け対象構造体に備えさせることができ、郵便受け箱に外力が作用した場合にあっても、該郵便受け箱が取付け対象構造体によって効果的に支承される特長を有している。
【００８５】
また、このように構成される郵便受け箱にあっては、その受け箱部の両側縁部に開口するように備えられているスリットから突き出す向きに付勢されて備えられている夫々の板状スペーサーを、この受け箱部に向き合っている取付け対象構造体の面に対して夫々独立に、弾発状態で当接させ得ることから、当該郵便受け箱の備えられる取付け対象構造体における当該板状スペーサーの夫々の当接する面が相互に段差を有する凹凸状とされている場合にあっても、当該郵便受け箱を取付け対象構造体に対して、この取付け対象構造体との間に取付け隙間を生じさせることなく備えることができる特長を有している。
【００８６】
また、かかる構成からなる郵便受け箱にあっては、この取付け対象構造体に向き合っている該郵便受け箱における受け箱部の両側縁部に開口するように備えられているスリットから付勢手段によって突き出されている夫々の板状スペーサーの先端を、この受け箱部の向きあっている取付け対象構造体の面に当接させることによって、この各板状スペーサー間にある受け箱部に向き合っている取付け対象構造体の面における形態に影響されることなく、該郵便受け箱を取付け対象構造体に対して、がたなく安定に備えることができる特長を有している。
【図面の簡単な説明】
【図１】第１の実施の形態に係る郵便受け箱の部品分離斜視図
【図２】同実施の形態に係る郵便受け箱の側面図
【図３】同縦断面図
【図４】同平断面図
【図５】同要部拡大平断面図
【図６】同取付け対象構造体に郵便受け箱を備えた状態の要部縦断面図
【図７】第２の実施の形態に係る郵便受け箱の部品分離斜視図
【図８】同実施の形態に係る郵便受け箱の縦断面図
【図９】同平断面図
【図１０】同要部拡大平断面図
【図１１】同取付け対象構造体に郵便受け箱を備えた状態の要部縦断面図
【図１２】第３の実施の形態に係る郵便受け箱の部品分離斜視図
【図１３】同実施の形態に係る郵便受け箱の縦断面図
【図１４】同平断面図
【図１５】同要部拡大平断面図
【図１６】同取付け対象構造体に郵便受け箱を備えた状態の要部縦断面図
【図１７】従来の郵便受け箱の部品分離斜視図
【符号の説明】
１０  板状スペーサー
２０  郵便受け箱本体
２１  受け箱部
２２  投入路部
２３  受入れ室
２４  投入通路
２５  取出し口
２６  投入口
２８  スリット
５６  付勢手段
Ａ  郵便受け箱
Ｂ  取付け対象構造体
【図１】
0004070336.tif 000002
【図２】
0004070336.tif 000003
【図３】
0004070336.tif 000004
【図４】
0004070336.tif 000005
【図５】
0004070336.tif 000006
【図６】
0004070336.tif 000007
【図７】
0004070336.tif 000008
【図８】
0004070336.tif 000009
【図９】
0004070336.tif 000010
【図１０】
0004070336.tif 000011
【図１１】
0004070336.tif 000012
【図１２】
0004070336.tif 000013
【図１３】
0004070336.tif 000014
【図１４】
0004070336.tif 000015
【図１５】
0004070336.tif 000016
【図１６】
0004070336.tif 000017
【図１７】
0004070336.tif 000018